(57)【要約】【課題】  映像表示装置内部でも映像信号を暗号化して著作権保護されたデジタル映像コンテンツの違法コピーを防ぐ。【解決手段】  入力された映像信号を処理する映像処理部３Ａの出力を暗号化する暗号化処理部３Ｂと、上記暗号化処理部３Ｂにより暗号化された上記映像処理部３Ａの出力から映像信号を復号して映像表示部を駆動する表示駆動部４Ｂに供給する復号処理部４Ａとを備え、上記暗号化処理部３Ｂから上記表示駆動部４Ｂに送られる映像信号を暗号化することにより著作権を保護する著作権保護回路１０を備える。【選択図】        図２
2010028229.tif 000002
【特許請求の範囲】
【請求項１】
映像表示装置に入力された映像信号を処理する映像処理部の出力を暗号化する暗号化処理部と、
上記暗号化処理部により暗号化された上記映像処理部の出力から映像信号を復号して映像表示部を駆動する表示駆動部に供給する復号処理部と
を備え、
上記暗号化処理部から上記表示駆動部に送られる映像信号を暗号化することにより著作権を保護する著作権保護回路。
【請求項２】
上記暗号化処理部は、映像信号の階調の中位ビットだけに暗号化処理を施す請求項１記載の著作権保護回路。
【請求項３】
上記暗号化処理部は、映像信号にスクランブルをかけて、スクランブル後の一部のビットだけに暗号化処理を施す請求項１記載の著作権保護回路。
【請求項４】
入力された映像信号を処理する映像処理部と、
上記映像処理部により処理された映像信号に応じて映像表示部を駆動する表示駆動部と、
上記映像処理部により処理された映像信号を暗号化する暗号化処理部と、
上記暗号化処理部により暗号化された上記映像処理部の出力から映像信号を復号して上記表示駆動部に供給する復号処理部と
を備え、
上記暗号化処理部から上記表示駆動部に送られる映像信号を暗号化することにより著作権を保護した映像表示装置。
【発明の詳細な説明】
【技術分野】
【０００１】
本発明は、デジタル映像データなど著作権を保護する著作権保護回路及び映像表示装置に関する。
【背景技術】
【０００２】
近年、複数台の映像機器の間で、非圧縮のデジタル映像データなどを伝送させるインターフェース規格として、ＨＤＭＩ（High-Definition Multimedia Interface）規格と称されるものが開発されている。ＨＤＭＩ規格は、映像データを、各色の原色データとして、１画素単位で個別に伝送する規格である（以下画素をピクセルと称する）。音声データ（オーディオデータ）についても、映像データのブランキング期間に、映像データの伝送ラインを使用して伝送するようにしてある。伝送する原色データは、赤，緑，青の加法混色の３チャンネルの原色データ（Ｒデータ，Ｇデータ，Ｂデータ）を伝送する場合、もしくはＹ，Ｃｂ，Ｃｒといった輝度および色差信号による場合などがある。
【０００３】
各色の１ピクセルのデータは、基本的に８ビット単位で伝送する構成としてある。水平同期信号や垂直同期信号などの同期信号についても、それぞれの同期信号が配置されるタイミングに送信される。また、映像データのピクセルクロックの伝送ラインと、制御データの伝送ラインについても設けてある。このように、非圧縮のデジタル映像データをピクセル単位でデータ伝送する伝送構成としてあることで、ハイデフィニション映像などを著作権保護しながら伝送することができる。
【０００４】
ＨＤＭＩ規格のインターフェースでは、別のチャンネルを使用して、制御データやピクセルクロックを伝送するようにしてある。制御データについては、映像データの送信側機器（ソース側機器）から受信側機器（シンク側機器）への伝送だけでなく、受信側機器（シンク側機器）から送信側機器（ソース側機器）への伝送も行える構成としてある。また、ソース側機器では、８ビット単位でデータを暗号化してあり、シンク側機器では、８ビット単位でデータをその暗号化からの復号化を行うようにしてある。
【０００５】
特許文献１には、ＨＤＭＩ規格の詳細についての記載がある。
【０００６】
【特許文献１】ＷＯ２００２／０７８３３６号公報
【発明の開示】
【発明が解決しようとする課題】
【０００７】
上述の如く、従来より、著作権保護されたデジタル映像コンテンツを装置間で受け渡しする際には、違法コピーを防ぐために暗号化することが行われていた。
【０００８】
ところが、一般的な液晶テレビにおいて、装置内部の映像処理回路と液晶駆動回路を接続するケーブルでは映像信号が暗号化されていない。すなわち、装置内部なのでアクセスが困難ではあるものの違法コピーが可能になっている。
【０００９】
一方、このケーブルを通る映像信号は圧縮されていないので非常に高速でフルＨＤの場合、縦１０８０ｘ横１９２０ｘ８階調ｘ３色ｘ６０フレーム／秒＝約３Ｇビット／秒になる。近年は、階調数やフレーム数の増加などさらに高速化が進んでいる。
【００１０】
このため映像信号を暗号化して違法コピーを防ぐためには、暗号回路を高速化したり並列化して高速に処理できるようにしなければならない。
【００１１】
例えば、一般的なＡＥＳ（Advanced Encryption Standard）処理回路は１２８ビットを１１サイクルで処理するので３Ｇビット／秒の映像信号を暗号化するためには２５７ＭＨｚで動作させる必要がある。
【００１２】
ＡＥＳ処理回路が１００ＭＨｚ動作の場合は３回路を並列動作させなければならない。
回路の高速化や並列化はコストアップにつながる。
【００１３】
そこで、本発明の目的は、上述の如き従来の問題点に鑑み、映像表示装置内部でも映像信号を暗号化して著作権保護されたデジタル映像コンテンツの違法コピーを防ぐことができるようにした著作権保護回路及び映像表示装置を提供することにある。
【００１４】
本発明の更に他の目的、本発明によって得られる具体的な利点は、以下に説明される実施の形態の説明から一層明らかにされる。
【課題を解決するための手段】
【００１５】
本願発明では、映像受信装置内部で映像信号を暗号化して著作権保護されたデジタル映像コンテンツの違法コピーを防ぐ。
【００１６】
すなわち、本願発明に係る著作権保護回路は、映像表示装置に入力された映像信号を処理する映像処理部の出力を暗号化する暗号化処理部と、上記暗号化処理部により暗号化された上記映像処理部の出力から映像信号を復号して映像表示部を駆動する表示駆動部に供給する復号処理部とを備え、上記暗号化処理部から上記表示駆動部に送られる映像信号を暗号化することにより著作権を保護することを特徴とする。
【００１７】
また、本発明に係る映像表示装置は、入力された映像信号を処理する映像処理部と、上記映像処理部により処理された映像信号に応じて映像表示部を駆動する表示駆動部と、上記映像処理部により処理された映像信号を暗号化する暗号化処理部と、上記暗号化処理部により暗号化された上記映像処理部の出力から映像信号を復号して上記表示駆動部に供給する復号処理部とを備え、上記暗号化処理部から上記表示駆動部に送られる映像信号を暗号化することより著作権を保護することを特徴とする。
【発明の効果】
【００１８】
本発明によれば、映像受信装置内部でも映像信号を暗号化して著作権保護されたデジタル映像コンテンツの違法コピーを防ぐことができる。
【発明を実施するための最良の形態】
【００１９】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００２０】
本発明は、例えば図１に示すような構成の液晶テレビジョン装置１００に適用される。
【００２１】
この液晶テレビジョン装置１００は、アンテナ１を介してテレビジョン放送信号を受信するチューナ回路２、上記チューナ部２により受信したテレビジョン放送信号として得られた映像信号又は外部装置から入力された映像信号に所定の信号処理を施すことにより映像表示用の例えば３原色信号を出力する映像処理回路３、上記映像処理部３により信号処理が施された映像信号、例えば、上記映像表示用の３原色データＲ，Ｇ，Ｂが供給される液晶駆動回路４、この液晶駆動回路４により駆動され、上記映像表示用の３原色データＲ，Ｇ，Ｂに応じた映像を表示する液晶パネル５などからなる一般的な構成の映像表示装置であって、上記映像処理回路３と液晶駆動回路４が小振幅差動信号方式 (LVDS:Low-Voltage Differential Signaling) などの高速伝送が可能なケーブル６で接続されている。
【００２２】
そして、この液晶テレビジョン装置１００では、その要部構成を図２に示すように、上記映像処理回路３は、入力された映像信号に所定の信号処理を施す映像処理部３Ａと、この映像処理部３１の出力、すなわち、上記映像表示用の３原色データＲ，Ｇ，Ｂを暗号化する暗号化処理部３Ｂからなり、また、上記液晶駆動回路４は、上記暗号化処理部３Ｂにより暗号化された上記映像処理部３Ａの出力から上記映像表示用の３原色データＲ，Ｇ，Ｂを復号する復号処理部４Ａと、この復号処理部４Ａにより復号された上記映像表示用の３原色データＲ，Ｇ，Ｂに応じて上記映像パネル５を駆動する表示駆動部４Ｂからなる。
【００２３】
この液晶テレビジョン装置１００では、上記映像処理回路３の最終段に暗号化処理部３Ｂを設けるとともに、上記液晶駆動回路４の最前段に復号処理部４Ａを設けることにより、上記ケーブル６を介して上記暗号化処理部３Ａから上記表示駆動部４Ｂに送られる映像信号を暗号化している。
【００２４】
すなわち、上記液晶テレビジョン装置１００は、入力された映像信号を処理する映像処理部３Ａの出力を暗号化する暗号化処理部３Ｂと、上記暗号化処理部３Ｂにより暗号化された上記映像処理部３Ａの出力から映像信号を復号して映像表示部（液晶パネル５）を駆動する表示駆動部４Ｂに供給する復号処理部４Ａとを備え、上記暗号化処理部から上記表示駆動部４Ｂに送られる映像信号を暗号化することにより著作権を保護する著作権保護回路１０を備えている。
【００２５】
ここで、ＲＧＢ各色が８階調の場合、１画素は２４ビットで表現される。
【００２６】
この液晶テレビジョン装置１００では、図３に示すように、２４ビットの映像信号を上記暗号処理部３Ｂで２４ビットの暗号化された信号に変換して、上記復号処理部４Ａで元の２４ビットの映像信号に復元する。
【００２７】
上記暗号処理部３Ｂは、例えば図４に示す第１の構成例のように、暗号回路３１と遅延回路３２からなる。この第１の構成例の暗号処理部３Ｂでは、ＲＧＢの各色の階調の中位４ビットだけを暗号回路３１に入力して暗号化する。残りの４ビットは暗号化せず、暗号回路３１の出力とタイミングを合わせて遅延回路３２から出力する。
【００２８】
この第１の構成例の暗号化処理部３Ｂでは、映像信号の速度が３Ｇビット／秒のとき、暗号回路３１の処理能力は半分の１．５Ｇビット／秒あればいい。
【００２９】
上記復号処理部４Ａは、例えば図５に示す第１の構成例のように、復号回路４１と遅延回路４２からなり、上記第１の構成例の暗号化処理部３Ａと逆の処理を行う。
【００３０】
また、上記暗号処理部３Ｂは、例えば図６に示す第２の構成例のように、スクランブル回路３５と暗号回路３６と遅延回路７２からなる。この第２の構成例の暗号化処理部３Ｂでは、２４ビットの映像信号をスクランブル回路３５に入力して、簡単なスクランブル処理を施す。スクランブル回路３５によりスクランブルされた２４ビットの信号のうち１２ビットだけを暗号回路３６に入力して暗号化する。残りの１２ビットは暗号化せず、暗号回路３６の出力とタイミングを合わせて遅延回路３７から出力する。
【００３１】
この第２の構成例の暗号化処理部３Ｂでは、映像信号の速度が３Ｇビット／秒のとき、暗号回路３６の処理能力は半分の１．５Ｇビット／秒あればいい。
【００３２】
上記復号処理部４Ａは、例えば図７に示す第２の構成例のように、復号回路４５と遅延回路４６とデスクランブル回路４７からなり、上記第２の構成例の暗号化処理部３Ａと逆の処理を行う。
【００３３】
上記第１の構成例、第２の構成例とも、暗号回路３１、３６に入力するビット数を減らせば暗号回路の処理能力をさらに減らすことができる。
【００３４】
なお、暗号回路３１、３６は十分な暗号強度を担保するものとする。
【００３５】
このような構成の液晶テレビジョン装置１００では、上記著作権保護回路１０を備えているので、装置内部でも映像信号を暗号化して著作権保護されたデジタル映像コンテンツの違法コピーを防ぐことができる。
【００３６】
ここで、上記著作権保護回路１０として、上記第１の構成例の暗号処理部３Ｂ及び復号処理部４Ａを備えることにより、中位ビットは十分な強度で暗号化されるので復元は不可能で、違法コピーしても残りのビットだけでは実質的に映像を再生できない。
【００３７】
また、上記著作権保護回路１０として、上記第２の構成例の暗号処理部３Ｂ及び復号処理部４Ａを備えることにより、一部のビットが十分な強度で暗号化されるので復元は不可能で、残りのビットも暗号化されたビットがないとデスクランブルできないため映像を再生できない。
【００３８】
このような構成の著作権保護回路１０を備える液晶テレビジョン装置１００では、十分な暗号強度の暗号化を低速動作・小回路規模で実現できるので、商品を低消費電力化・低コスト化することができる。
【図面の簡単な説明】
【００３９】
【図１】本発明を適用した液晶テレビジョン装置の構成を示すブロック図である。
【図２】上記液晶テレビジョン装置の要部構成を示すブロック図である。
【図３】上記液晶テレビジョン装置における暗号処理部と復号処理部の間の信号接続状態を示す図である。
【図４】上記液晶テレビジョン装置における暗号化処理部の第１の構成例を示すブロック図である。
【図５】上記液晶テレビジョン装置における復号処理部の第１の構成例を示すブロック図である。
【図６】上記液晶テレビジョン装置における暗号化処理部の第２の構成例を示すブロック図である。
【図７】上記液晶テレビジョン装置における復号処理部の第２の構成例を示すブロック図である。
【符号の説明】
【００４０】
１  アンテナ、２  チューナ回路、３  映像処理回路、３Ａ  映像処理部、３Ｂ  暗号化処理部、４  液晶駆動回路、４Ａ  復号処理部、４Ｂ  表示駆動部、５  液晶パネル、６  ケーブル、３１，３６  暗号回路、３２，３７  遅延回路、３５  スクランブル回路、４１，４５  復号回路、４２，４６  遅延回路、４７  デスクランブル回路、１００  液晶テレビジョン装置
【図１】
2010028229.tif 000003
【図２】
2010028229.tif 000004
【図３】
2010028229.tif 000005
【図４】
2010028229.tif 000006
【図５】
2010028229.tif 000007
【図６】
2010028229.tif 000008
【図７】
2010028229.tif 000009